(57)【要約】      （修正有）【課題】燃焼効率の良いストーブを提供する。【解決手段】ストーブ１は、上下方向に貫通した空気流通路２２１と、空気流通路２２１の外周周りに配置されて上方を開放させた燃料保持部１１と、燃料保持部１１の外周周りに配置され、下方に吸液部４１１を有し上方に揮発部４２１を有して内部に吸液性部材３を配置した吸液路１２と、を備える。これにより、外側及び内側から空気を供給して二重円状に燃焼反応を起こすことができるため、比較的均等に分布した炎６を発生させ、不完全燃焼を低減して高温の熱源として利用できる。【選択図】図３
0003232390.tif 000002
【実用新案登録請求の範囲】
【請求項１】
上下方向に貫通した空気流通路と、
前記空気流通路の外周周りに配置されて上方を開放させた燃料保持部と、
前記燃料保持部の外周周りに配置され、下方に吸液部を有し上方に揮発部を有して内部に吸液性部材を配置した吸液路と、
を備えることを特徴とするストーブ。
【請求項２】
前記吸液路は、環状の外壁と、前記外壁よりも内側に位置する環状の中壁とにより囲われて環状に形成され、
前記吸液部は、前記中壁に設けられた開口であり、
前記揮発部は、前記中壁及び前記外壁の上方を覆う天板部に設けられた開口である、
ことを特徴とする請求項１に記載のストーブ。
【請求項３】
前記燃料保持部は、前記中壁と、前記空気流通路を囲う環状の内壁とにより囲われて環状に形成され、
前記吸液部は、前記空気流通路に対する外周周りに複数配置される、
ことを特徴とする請求項２に記載のストーブ。
【請求項４】
前記揮発部は、前記空気流通路に対する外周周りに複数配置された開口であることを特徴とする請求項１乃至請求項３の何れかに記載のストーブ。
【請求項５】
前記燃料保持部及び前記吸液路の環状の底板には、前記底板の下方に空間を設ける脚部が接続されていることを特徴とする請求項１乃至請求項４の何れかに記載のストーブ。
【請求項６】
前記吸液性部材は、カーボンフェルトであり、
前記燃料保持部に供給される燃料はアルコールである、
ことを特徴とする請求項１乃至請求項５の何れかに記載のストーブ。
【考案の詳細な説明】
【技術分野】
【０００１】
本考案は、ストーブに関する。
【背景技術】
【０００２】
従来から、アルコールによる液体燃料を燃焼して熱源として使用可能なストーブが提案されている。例えば、特許文献１のストーブは、内部にアルコールを保持するカップ形状のアウター部材と、アウター部材の内部に配置される円環形状のミドル部材と、ミドル部材の内部に挿入される円筒形状のインナー部材と、を備えており、アウター部材とインナー部材との間で気化したアルコールをインナー部材の上端面に設けた複数の孔から噴出させて、アルコールを燃焼可能としている。
【先行技術文献】
【特許文献】
【０００３】
【特許文献１】実用新案登録第３１９８０５２号公報
【考案の概要】
【考案が解決しようとする課題】
【０００４】
エタノールの燃焼では酸素の供給が不十分であると不完全燃焼となり一酸化炭素の発生や燃焼温度が上がらない等の不都合が生じる。特許文献１のような構成では、空気中の酸素が主にインナー部材の上端面の孔から噴出されたアルコールとの燃焼で消費され、ストーブの中央側から揮発したアルコールが十分に燃焼されない場合がある。
【０００５】
本考案は、燃焼効率の良いストーブを提供することを目的とする。
【課題を解決するための手段】
【０００６】
本考案に係るストーブは、上下方向に貫通した空気流通路と、前記空気流通路の外周周りに配置されて上方を開放させた燃料保持部と、前記燃料保持部の外周周りに配置され、下方に吸液部を有し上方に揮発部を有して内部に吸液性部材を配置した吸液路と、を備える。
【考案の効果】
【０００７】
本考案によると、燃焼効率の良いストーブを提供することができる。
【図面の簡単な説明】
【０００８】
【図１】本考案に係るストーブの斜視図であり、（ａ）は平面側から見た斜視図を示し、（ｂ）は裏面側から見た斜視図を示す。
【図２】本考案に係る火力調整部材を含むストーブの分解斜視図である。
【図３】本考案に係る図１（ａ）に示したストーブのＩＩＩ−ＩＩＩ断面位置における断面図であり、（ａ）はストーブを揮発部及び開口から揮発した燃料により燃焼させる様子を示し、（ｂ）はストーブを開口から揮発した燃料により燃焼させる様子を示す。
【考案を実施するための形態】
【０００９】
以下、本発明の実施形態について、図を用いて説明する。図１（ａ）及び図１（ｂ）に示すストーブ１は、片手で持ち運び携帯可能な程度の大きさで形成され、アルコール等の揮発性の液体の燃料Ｆを燃焼させて暖房器具や調理器具として使用することができる。なお、以下のストーブ１の説明において図１（ａ）の上側を上、下側を下として説明する。
【００１０】
ストーブ１は軸Ｑに対し対称に形成され、全体形状が空気流通路２２１を中空部とした円筒状に形成される。図２の分解斜視図に示すように、ストーブ１は、アウター部材２、吸液性部材３及びインナー部材４を備える。アウター部材２は、円形環状の底板２１と、底板２１の中央に位置する開口部の内縁から上方へ立設する円筒状の内壁２２と、底板２１の外周縁から上方に立設する円筒状の外壁２３とを有する。内壁２２と外壁２３とは軸Ｑ周りに同軸に形成される。また、外壁２３は内壁２２と略同じ高さで形成される（図３（ａ）も参照）。内壁２２の内側には、アウター部材２を上下方向に貫通した開口である空気流通路２２１が形成される。
【００１１】
また、アウター部材２の底板２１の外周縁には、下方に延設される脚部２４が接続されている。脚部２４は、外壁２３よりも短尺で僅かに大径の円筒状に形成される。また、脚部２４には軸Ｑ周りに等間隔に配置された複数の円形の開口部である吸気口２４１が形成される。従って、脚部２４により載置面に載置されたストーブ１の底板２１の下方には、空気を流通可能な空間（空気流通路１３）が設けられる（図３（ａ）参照）。
【００１２】
吸液性部材３は、短尺な円環状に形成され、毛細管現象により液体の燃料Ｆを吸液可能に構成される。なお、本実施形態の吸液性部材３は、カーボンフェルトを用いているが、布、紙、金属（例えば、スチール）、ガラス等のその他の材質による繊維状のフェルト、多孔質部材（例えば、多孔質セラミックス、多孔質金属）、その他の毛細管現象等により吸液可能な構造の部材を用いてもよい。
【００１３】
インナー部材４は、略円筒状の中壁４１と、中壁４１の上縁から軸Ｑに対してフランジ状に外径方向に突出した円環板状の天板部４２とを有する。天板部４２は、インナー部材４をアウター部材２の内部に収容させた場合に、アウター部材２の外壁２３とインナー部材４の中壁４１の上方を覆うように配置される。図３（ａ）に示すように、天板部４２の外周縁の径は、アウター部材２の外壁２３の外径と略同じである。また、図２等に示すように、インナー部材４の中壁４１の下端部には、Ｕ字状に切り欠かれた開口である吸液部４１１が設けられる。吸液部４１１は、空気流通路２２１に対する外周周りに等間隔で間欠的に複数配置される。
【００１４】
また、天板部４２には、揮発部４２１が設けられる。揮発部４２１は、空気流通路２２１に対する外周周りに等間隔で間欠的に複数配置された開口である。揮発部４２１は、天板部４２の幅の１／２以下程度に小さい内径で開口している。
【００１５】
また、図２に示す火力調整部材５は、アウター部材２の外壁２３よりもやや大径の円筒状の係合壁５１と、係合壁５１の上端から内径を縮小するように内側に突出した円環板状の被覆部５２とを有する。
【００１６】
ここで、アウター部材２、吸液性部材３及びインナー部材４を組み立て状態について説明する。図３（ａ）に示すように、吸液性部材３は、アウター部材２の底板２１の上面に配置される。吸液性部材３の外周面は、アウター部材２の外壁２３の内周面と略当接している。また、アウター部材２に配置された吸液性部材３の上端部と、アウター部材２の外壁２３の上端部とは略同じ高さ位置に配置される。
【００１７】
インナー部材４は、下端４１２が底板２１と当接し、天板部４２の下面が外壁２３の上端と当接して、アウター部材２の内側に収容される。これにより、空気流通路２２１の外周周りに配置され、上方を開放させた燃料保持部１１が形成される。燃料保持部１１は、中壁４１と、空気流通路２２１を囲う環状の内壁２２とにより囲われて環状に形成される。燃料保持部１１には、液体の燃料Ｆであるアルコールを供給して貯留させることができる。
【００１８】
また、燃料保持部１１の外周周りには、内部に吸液性部材３を配置した吸液路１２が形成される。吸液路１２は、環状の外壁２３と、外壁２３よりも内側に位置する環状の中壁４１とにより囲われて環状に形成される。吸液路１２は、下方に吸液部４１１を有し、上方に揮発部４２１を有する。
【００１９】
燃料保持部１１に供給された燃料Ｆの一部は、燃料保持部１１の上方の円環状の開口１１１から外部へ揮発する。また、燃料保持部１１に供給された燃料Ｆの他の一部は、吸液部４１１から吸液性部材３に吸収されて、吸液性部材３の上端側まで吸い上げられる。吸液性部材３に吸い上げられた燃料Ｆは、吸液路１２内において空気と接触する表面積が大きいため容易に気化して揮発部４２１から上方外部へ揮発する。また、吸液性部材３を用いることで外気が低い（例えば、氷点下）場合であっても、燃料Ｆを容易に気化させることができる。
【００２０】
燃料保持部１１に燃料Ｆを補充した後、ストーブ１の上方（開口１１１の上方）にライター等で点火した火を近づけると、開口１１１又は揮発部４２１から揮発する燃料Ｆが空気中の酸素と反応して継続して燃焼する。揮発部４２１から揮発する燃料Ｆは、主に、ストーブ１の外壁２３の外周側から供給される空気と反応して燃焼する。一方、開口１１１から揮発する燃料Ｆは、主に、空気流通路２２１から供給された空気と反応して燃焼する。従って、開口１１１から揮発した燃料Ｆの燃焼反応は、図３（ａ）に示すように、主に空気流通路２２１側で発生される。このため、ストーブ１の上方には、平面視すると、二重円状に燃焼反応が起こり、ストーブ１の上方に比較的均等に分布した熱源である炎６を発生させることができる。
【００２１】
また、ストーブ１は、燃料保持部１１及び吸液路１２の底板２１に接続される脚部２４により、任意の載置面Ｔに載置することができる。これにより、ストーブ１は、底板２１の下方に位置する載置面Ｔとの間の空間に、円形状の空気流通路１３を形成する。従って、開口１１１の上方で燃焼が起こると、チムニー効果（又は煙突効果）によって空気流通路２２１内を含む軸Ｑ上の空気が上昇し、空気流通路１３内の空気も空気流通路２２１側へ移動する。ストーブ１の外部からは、複数の吸気口２４１を介して空気流通路１３内に新たな空気が順次供給される。従って、ストーブ１は、軸Ｑ側からも空気を供給して、不完全燃焼を低減し、火力の高い（高温）炎６を生じさせることができる。
【００２２】
また、燃料Ｆが消費され、燃料保持部１１内の燃料Ｆの水位が下がってきた場合、ストーブ１内の燃料Ｆは主に吸液性部材３内に保持されることとなるが、揮発部４２１により揮発量が制御されるため、安定した火力で長い時間燃焼が継続される。燃料Ｆが残っているうちに、炎６は、ストーブ１の開口１１１と天板部４２を被覆するように板部材等を被せることで、燃料Ｆの揮発及び供給される空気を遮断させて消すことができる。
【００２３】
このように、ストーブ１は、外側及び内側から空気を供給して二重円状に燃焼反応を起こすことができるため、比較的均等に分布した炎６を発生させ、不完全燃焼を低減して高温の熱源として用いることができる。
【００２４】
次に、図３（ｂ）を参照して火力調整部材５の使用例について説明する。火力調整部材５は、ストーブ１に装着させると、係合壁５１が外壁２３の外周面と略摺接するように係合して軸Ｑに垂直な方向への移動が規制される。また、火力調整部材５は、係合壁５１と段部２５が当接することにより下端が支持される。火力調整部材５がストーブ１に装着された状態では、被覆部５２が天板部４２からやや離間した状態で揮発部４２１を被覆する。
【００２５】
従って、火力調整部材５を使用することにより揮発部４２１から揮発する燃料Ｆと外部からの空気の供給を停止させて、揮発部４２１における燃焼反応を停止させることができる。一方で、開口１１１から揮発する燃料Ｆは、チムニー効果（又は煙突効果）によって、空気流通路２２１から効率よく空気が供給され、主に、空気流通路２２１側で燃焼反応が起こる。このため、ストーブ１の上方には、平面視すると、円状に燃焼反応が起こり、ストーブ１の上方に火力調整部材５を使用しない状態に比べて全体の火力が弱い炎６を生じさせることができる。
【００２６】
本発明は各実施形態により限定されることは無く、種々の変更を加えて実施することができる。例えば、本実施形態では、脚部２４を円筒状に設けたが、複数の棒体を含む構造により構成してもよい。
【００２７】
また、空気流通路２２１が設けられる上下方向には、ストーブ１を載置した場合の鉛直方向（即ち、底板２１に対して垂直な軸Ｑ方向）だけでなく、軸Ｑに対してやや傾斜した上下方向も含む。
【符号の説明】
【００２８】
１      ストーブ                      ２      アウター部材
３      吸液性部材                    ４      インナー部材
５      火力調整部材                  ６      炎
１１    燃料保持部                    １２    吸液路
１３    空気流通路                    ２１    底板
２２    内壁                          ２３    外壁
２４    脚部                          ２５    段部
４１    中壁                          ４２    天板部
５１    係合壁                        ５２    被覆部
１１１  開口                          ２２１  空気流通路
２４１  吸気口                        ４１１  吸液部
４１２  下端                          ４２１  揮発部
Ｆ      燃料                          Ｑ      軸
Ｔ      載置面
【図１】
0003232390.tif 000003
【図２】
0003232390.tif 000004
【図３】
0003232390.tif 000005